(57)【要約】【課題】蝶番ピンの抜け止め部材に箱本体の補強周枠部のコーナー部を被覆する機能を併せ持った電気電子機器収納用箱の蝶番構造を提供する。【解決手段】箱本体１の開口部１１を蝶番３により枢着した扉２で開閉する電気電子機器収納用箱において、前記蝶番３の蝶番ピン４の抜け止め部材５の基端に箱本体１の開口部１１に設けた補強周枠部１２のコーナー部を被覆して該補強周枠部１２に着脱自在に取り付ける取付枠部６を設ける。【選択図】図１
2008218945.tif 000002
【特許請求の範囲】
【請求項１】
箱本体の開口部を蝶番により枢着した扉で開閉する電気電子機器収納用箱において、前記蝶番の蝶番ピンの抜け止め部材の基端に箱本体の開口部に設けた補強周枠部のコーナー部を被覆して該補強周枠部に着脱自在に取り付ける取付枠部を設けたことを特徴とする電気電子機器収納用箱の蝶番構造。
【請求項２】
補強周枠部に透設した塗装用のエア抜き孔を覆う水平板部を抜け止め部材に設けた請求項１に記載の電気電子機器収納用箱の蝶番構造。
【発明の詳細な説明】
【技術分野】
【０００１】
本発明は、電気電子機器収納用箱の箱本体と扉を枢着する蝶番の蝶番ピンを外して扉を箱本体から分離することのできる電気電子機器収納用箱の蝶番構造に関するものである。
【背景技術】
【０００２】
電気電子機器収納用箱の蝶番の蝶番ピンを外して扉を箱本体から分離するものとしては、図１６に示すように蝶番１００の蝶番ピン１０１の一方の端部に着脱自在な抜け止め具１０２を取り付け、蝶番ピン１０１を外す場合に抜け止め具１０２を外して行うものがある（例えば、特許文献１参照）。また、蝶番ピンの頭部に当接する抜け止め用のストッパーを扉に着脱自在に取り付けたものも知られている（例えば、特許文献２参照）。
【０００３】
ところが、前記した抜け止め具及びストッパーは蝶番ピンの抜け止め機能のみを備えたに過ぎず、そのため図示のように蝶番１００を箱本体２００のコーナー付近に取り付けた場合にあっても、補強周枠部２０１のコーナー部や塗装用のエア抜き孔２０２を被覆するためのコーナー部材３００は別異に用意して取り付ける必要があり、作業工程も多く、コストアップにもなっていた。
【０００４】
【特許文献１】実開平５−４７２７７公報（図１、図２、図３参照）
【特許文献２】実開昭５８−４９５０６公報（図２参照）
【発明の開示】
【発明が解決しようとする課題】
【０００５】
本発明は前記のような問題点を解決して、蝶番ピンの抜け止め部材に箱本体の補強周枠部のコーナー部を被覆する機能を併せ持った電気電子機器収納用箱の蝶番構造を提供することを目的として完成されたものである。
【課題を解決するための手段】
【０００６】
本発明の電気電子機器収納用箱の蝶番構造は、箱本体の開口部を蝶番により枢着した扉で開閉する電気電子機器収納用箱において、前記蝶番の蝶番ピンの抜け止め部材の基端に箱本体の開口部に設けた補強周枠部のコーナー部を被覆して該補強周枠部に着脱自在に取り付ける取付枠部を設けたことを特徴とするものを基本の発明とする。
【０００７】
そして、この発明において、補強周枠部に透設した塗装用のエア抜き孔を覆う水平板部を抜け止め部材に設けることが好ましい。
【発明の効果】
【０００８】
前記のような本発明は、前記蝶番の蝶番ピンの抜け止め部材はその基端に形成した取付枠部を箱本体の開口部に設けた補強周枠部に着脱自在に取り付けたものであるから、該取付枠部を補強周枠部から着脱することにより蝶番ピンを取り付け、取り外しをすることにより扉を箱本体に枢着したり分離することができるものである。
【０００９】
また、前記取付枠部は箱本体の開口部に設けた補強周枠部のコーナー部を被覆するものであるから、コーナー部を被覆する部材を別途用意する必要がないので作業工程を少なくできるものである。さらに、取付枠部を箱本体の開口部に設けた補強周枠部に着脱自在に取り付けたものであるから、扉を閉じた状態では電気電子機器収納用箱の外部から抜け止め部材を外すことができずセキュリティの向上ともなる。
【００１０】
また、補強周枠部に透設した塗装用のエア抜き孔を覆う水平板部を抜け止め部材に設けたものにおいては、エア抜き孔が的確に閉塞され部品の削減となる。
【発明を実施するための最良の形態】
【００１１】
次に、本発明の好ましい実施の形態を図を参照して説明する。
１は箱本体であり、該箱本体１の開口部１１には内向きに設けた水平辺部１２ａと該水平辺部１２ａの先端に立設した垂直辺部１２ｂよりなる断面Ｌ字状の補強周枠部１２が設けられている。２は前記箱本体１の開口部１１を開閉する扉、３は扉２を箱本体１に枢着する蝶番である。この蝶番３は箱本体１に取り付けられる箱本体側蝶番板３１と扉２に取り付けられる扉側蝶番板３２の端部に一連となる軸筒部３３を形成する短筒部３３ａ、３３ｂをそれぞれ連設して、該軸筒部３３に蝶番ピン４を挿通して箱本体側蝶番板３１と扉側蝶番板３２とを枢着している。
【００１２】
５は前記蝶番３の軸筒部３３から蝶番ピン４が抜け出ることを防止するための抜け止め部材であり、該抜け止め部材５は基端に設けた取付枠部６を箱本体１の開口部１１に設けた補強周枠部１２のコーナー部を被覆するものとして補強周枠部１２に着脱自在に取り付けるものとしている。そして、抜け止め部材５の先端に設けたピン抜け止め部５ａを蝶番ピン４に設けた抜け止め用係止部４ａに臨ませて蝶番ピン４が蝶番３の軸筒部３３から抜け出ることがないものとしている。
【００１３】
次に、前記蝶番３及び抜け止め部材５の具体的な構造を図示の３実施例により詳細に説明する。
【００１４】
〔第１の実施例〕
先ず、図１〜図５に示す第１の実施例にあっては、蝶番３及び抜け止め部材５は次のような構成を採用している。
すなわち、箱本体側蝶番板３１と扉側蝶番板３２の短筒部３３ａ、３３ｂにより形成した一連の軸筒部３３に挿通する蝶番ピン４を、前記軸筒部３３に挿通できるピン本体４０の基端に頭部４１を形成するとともに軸筒部３３から突出させた先端に細頚部４２よりなる抜け止め係止部４ａを形成したものとしている。そして、蝶番ピン４をその先端の細頚部４２よりなる抜け止め係止部４ａを箱本体１のコーナー部側となるよう該蝶番３の軸筒部３３に挿通する。
【００１５】
また、抜け止め部材５は先端に前記細頚部４２よりなる抜け止め係止部４ａに係合するようにして臨む板片状の抜け止め部５ａを設けるとともに基端に箱本体１の開口部１１に設けた補強周枠部１２のコーナー部を被覆して該補強周枠部１２に着脱自在に取り付ける取付枠部６を設けている。この取付枠部６は抜け止め部５ａを前面に張設した前板部６１の上端後方に上板部６２を連設して、該上板部６２の後端に前記前板部６１との間に蝶番３と平行する補強周枠部１２の垂直辺部１２ｂを挟持できる間隔を形成して後板部６３を垂設して、また、該後板部６３の両側に下方から補強周枠部１２の垂直辺部１２ｂが介入できるスリット６４、６４を設け、さらに、後板部６３のスリット６４、６４との間の中央板部６３ａの下端前方に補強周枠部１２の水平辺部１２ａの下面縁部に係止する弾性係止片６３ｂを設けている。
【００１６】
そして、該抜け止め部材５は取付枠部６の前板部６１と後板部６３との間に蝶番３と平行な補強周枠部１２の垂直辺部１２ｂを挟持するとともに後板部６３の両側に設けたスリット６４、６４の一方を蝶番３と直角な補強周枠部１２の垂直辺部１２ｂに嵌合させたうえ後板部６３の中央板部６３ａの下端前方に設けた弾性係止片６３ｂを補強周枠部１２の水平辺部１２ａの下面縁部に係止させれば、上板部６２により補強周枠部１２のコーナー部の上端を被覆させたものとして取り付けできるものである。なお、抜け止め部材５の後板部６３の両側にスリット６４、６４を設けることにより、同一形状の抜け止め部材５を補強周枠部１２の逆のコーナー部にも取り付けできるものである。
【００１７】
このように抜け止め部材５の取付枠部６を補強周枠部１２のコーナー部に取り付ければ抜け止め部材５の先端に設けた板片状の抜け止め部５ａが前記蝶番ピン４の細頚部４２よりなる抜け止め係止部４ａに係合するように臨んで、蝶番ピン４が抜け出ることを防止するものである。また、扉２を閉じた状態では電気電子機器収納用箱１の外部から抜け止め部材３を外すことができずセキュリティの向上ともなる。なお、この実施例にあっては蝶番ピン４の基端に頭部４１を形成されていることが、細径部４２よりなる抜け止め係止部４ａが板片状の抜け止め部５ａの位置となるようにすることが容易で好ましいものである。しかしながら、板片状の抜け止め部５ａが蝶番ピン４の細頚部４２よりなる抜け止め係止部４ａに係合するのでこれのみで蝶番ピン４は軸筒部３３から抜け出ることがないので蝶番ピン４に頭部４１がないものであってもよい。
【００１８】
〔第２の実施例〕
次に、図６〜図９に示す第２の実施例にあっては、蝶番３及び抜け止め部材５は次のような構成を採用している。
すなわち、箱本体側蝶番板３１と扉側蝶番板３２の短筒部３３ａ、３３ｂにより形成した一連の軸筒部３３に挿通する蝶番ピン４を、前記軸筒部３３に挿通できるピン本体４０の基端に抜け止め係止部４ａとしての頭部４１を形成したものとしている。そして、蝶番ピン４を基端の抜け止め係止部４ａとしての頭部４１を箱本体１のコーナー部側となるよう該蝶番３の軸筒部３３に挿通する。
【００１９】
また、抜け止め部材５は補強周枠部１２の水平辺部１２ａの上面に添装する水平板部５０の先端側面に前記蝶番ピン４の頭部４１よりなる抜け止め係止部４ａに当接するストッパー部とした抜け止め部５ａを形成し、水平板部５０の基端に取付枠部６を形成している。この取付枠部６は水平板部５０の基端に立設した前板部６１の上端後方に上板部６２を連設して、該上板部６２の基端に前記前板部６１との間に蝶番３と平行する補強周枠部１２の垂直辺部１２ｂを挟持する間隔を形成して後板部６３を垂設して、また、該後板部６３の両側に下方から補強周枠部１２の垂直辺部１２ｂが介入できるスリット６４、６４を設け、さらに、後板部６３のスリット６４、６４との間の中央板部６３ａの下端前方に補強周枠部１２の水平辺部１２ａの下面縁部に係止する弾性係止片６３ｂを設けている。
【００２０】
そして、該抜け止め部材５は取付枠部６の前板部６１と後板部６３との間に蝶番３と平行な補強周枠部１２の垂直辺部１２ｂを挟持するとともに後板部６３の両側に設けたスリット６４、６４の一方を蝶番３と直角な補強周枠部１２の垂直辺部１２ｂに嵌合させてたうえ後板部６３の中央板部６３ａの下端前方に設けた弾性係止片６３ｂを補強周枠部１２の水平辺部１２ａの下面縁部に係止させて、上板部６２により補強周枠部１２のコーナー部の上端を被覆させて取り付けるものである。また、水平辺部１２ａに設けた塗装用のエア抜き孔１２ｄを抜け止め部材５の水平板部５０により覆うものである。なお、水平板部５０の先端両側面にストッパー部とした抜け止め部５ａ、５ａを形成し、また、後板部６３の両側にスリット６４、６４を設けることにより、同一形状の抜け止め部材５を補強周枠部１２の逆のコーナー部にも取り付けできるものである。
【００２１】
このように抜け止め部材５の取付枠部６を補強周枠部１２のコーナー部に取り付ければ、補強周枠部１２の水平辺部１２ａの上面に添装する水平板部５０の先端側面に形成したストッパー部とした抜け止め部５ａが蝶番ピン４の抜け止め係止部４ａとしての頭部４１に当接するように臨んで、蝶番ピン４が軸筒部３３抜け出ることを防止するものである。さらに、抜け止め部材５をとりつけることにより、抜け止め部材５の水平板部５０が、水平辺部１２ａに設けたエア抜き孔１２ｄを覆うので、別途、孔を被覆する部材が必要ないものである。また、扉２を閉じた状態では電気電子機器収納用箱１の外部から抜け止め部材５を外すことができずセキュリティの向上ともなる。
【００２２】
〔第３の実施例〕
続いて、図１０〜図１３に示す第３の実施例にあっては、蝶番３及び抜け止め部材５は次のような構成を採用している。
すなわち、箱本体側蝶番板３１と扉側蝶番板３２の短筒部３３ａ、３３ｂにより形成した一連の軸筒部３３に挿通する蝶番ピン４を、前記軸筒部３３に挿通できるピン本体４０の基端に頭部４１を形成するとともに軸筒部３３のコーナー部近傍側に設けた横切込み３４に臨む個所に細頚部４２よりなる抜け止め係止部４ａを形成したものとしている。
【００２３】
また、抜け止め部材５は先端に前記軸筒部３３の横切込み３４を介して蝶番ピン４の細頚部４２よりなる抜け止め係止部４ａに係合するように臨む板片状の抜け止め部５ａを設けるとともに基端に箱本体１の開口部１１に設けた補強周枠部１２のコーナー部を被覆して補強周枠部１２に着脱自在に取り付ける取付枠部６を形成している。この取付枠部６は抜け止め部５ａの上端後方に上板部６２を連設して、該上板部６２の基端に該抜け止め部５ａの背面との間に蝶番３と平行する垂直辺部１２ｂを挟持する間隔を形成するように後板部６３を垂設して、また、該後板部６３の両側に下方から垂直辺部１２ｂが介入できるスリット６４、６４を設け、さらに、後板部６３のスリット６４、６４との間の中央板部６３ａの前面中央に垂直辺部１２ｂに設けた係止孔１２ｅに係合する突起部６３ｄを設けている。
【００２４】
そして、該抜け止め部材５は取付枠部６の抜け止め部５ａの背面と後板部６３の間に蝶番３と平行な垂直辺部１２ｂを挟持するとともに後板部６３の両側に設けたスリット６４、６４の一方を蝶番３と直角な垂直辺部１２ｂに嵌合させたうえ中央板部６３ａの前面中央に設けた突起部６３ｄを垂直辺部１２ｂに設けた係止孔１２ｅに係合させて、上板部６２により補強周枠部１２のコーナー部の上端を被覆させて取り付けるものである。なお、抜け止め部材５の後板部６３の両側にスリット６４、６４を設けることにより、同一形状の抜け止め部材５を補強周枠部１２の逆のコーナー部にも取り付けできるものである。
【００２５】
このように抜け止め部材５を取付枠部６をもって補強周枠部１２のコーナー部に取り付ければ抜け止め部材５の先端に設けた板片状の抜け止め部５ａが前記軸筒部３３の横切込み３４を介して蝶番ピン４の細頚部４２よりなる抜け止め係止部４ａに係合するように臨んで、蝶番ピン４が抜け出ることを防止するものである。また、扉２を閉じた状態では電気電子機器収納用箱１の外部から抜け止め部材３を外すことができずセキュリティの向上ともなる。なお、この実施例にあっても前記第１の実施例同様に、蝶番ピン４の基端に頭部４１を形成されていることが、細径部４２よりなる抜け止め係止部４ａが板片状の抜け止め部５ａの位置となるようにすることが容易で好ましいものであるる。しかしながら、板片状の抜け止め部５ａが蝶番ピン４の細頚部４２よりなる抜け止め係止部４ａに係合するのでこれのみで蝶番ピン４は軸筒部３３から抜け出ることがないので蝶番ピン４に頭部４１がないものであってもよい。
【００２６】
なお、前記蝶番３は図１４、図１５に示すように扉２が開放時に扉２の端部２１が係止する止め部７を設けたものとしてもよい。この止め部５は図１４に示すような箱本体１に取り付ける蝶番板に突起を設けたものとしても、また、図１５に示すように蝶番板の側端部に折曲させ設けたものとしてもよい。このように止め部７を設けたものとすると、扉の開放時に扉端部により箱本体や蝶番の塗装が剥がれにくいものとなるうえ、扉の開き角度を一定に保つことができるものとなる。
【図面の簡単な説明】
【００２７】
【図１】第１の実施例を示す斜視図。
【図２】第１の実施例を抜け止め部材を外して示す斜視図。
【図３】第１の実施例を抜け止め部材と蝶番ピンを外して示す斜視図。
【図４】第１の実施例を示す断面図。
【図５】第１の実施例に使用する抜け止め部材を示す図であり、(イ）は斜視図、(ロ）は側面図、（ハ）は平面図、（ニ）は正面図。
【図６】第２の実施例を示す斜視図。
【図７】第２の実施例を抜け止め部材を外して示す斜視図。
【図８】第２の実施例を抜け止め部材と蝶番ピンを外して示す斜視図。
【図９】第２の実施例に使用する抜け止め部材を示す図であり、(イ）は斜視図、(ロ）は側面図、（ハ）は平面図、（ニ）は正面図、（ホ）は背面図。
【図１０】第３の実施例を示す斜視図。
【図１１】第３の実施例を抜け止め部材を外して示す斜視図。
【図１２】第３の実施例を抜け止め部材と蝶番ピンを外して示す斜視図。
【図１３】第３の実施例に使用する抜け止め部材を示す図であり、(イ）は斜視図、(ロ）は側面図、（ハ）は平面図、（ニ）は正面図。
【図１４】扉の端部が係止する止め部を設けた蝶番を使用した例を示す断面図。
【図１５】扉の端部が係止する止め部を設けた蝶番を使用した他例を示す断面図。
【図１６】従来例を示す斜視図。
【符号の説明】
【００２８】
１  箱本体
11  開口部
12  補強周枠部
12d  エア抜き孔
２  扉
３  蝶番
４  蝶番ピン
５  抜け止め部材
50ａ  水平板部
６  取付枠部
【図１】
2008218945.tif 000003
【図２】
2008218945.tif 000004
【図３】
2008218945.tif 000005
【図４】
2008218945.tif 000006
【図５】
2008218945.tif 000007
【図６】
2008218945.tif 000008
【図７】
2008218945.tif 000009
【図８】
2008218945.tif 000010
【図９】
2008218945.tif 000011
【図１０】
2008218945.tif 000012
【図１１】
2008218945.tif 000013
【図１２】
2008218945.tif 000014
【図１３】
2008218945.tif 000015
【図１４】
2008218945.tif 000016
【図１５】
2008218945.tif 000017
【図１６】
2008218945.tif 000018